(57)【要約】【課題】低コストで筐体にキートップを収納することができる電子機器を提供する。【解決手段】電子機器１０は、支持プレート３０と、支持プレート３０の上面３０ａ側で支持され、使用位置と収納位置との間で上下動する複数のキートップ２５と、キートップ２５に対して、支持プレート３０の上面３０ａと平行する方向に相対移動可能な駆動部材として機能するフレーム２６とを備える。キートップ２５は、受圧部２５ｂを有する。フレーム２６は、キートップ２５に対して相対移動することで受圧部２５ｂと接触する押圧部２６ｃを有する。【選択図】図３Ｂ
2019215611.tif 000002
【特許請求の範囲】
【請求項１】
キーボード装置を備える電子機器であって、
支持プレートと、
前記支持プレートの上面側で支持され、弾性部材の付勢力によって上昇した第１位置と、前記弾性部材の付勢力に抗して下降した第２位置との間で上下動する複数のキートップと、
前記キートップに対して、前記支持プレートの上面と平行する方向に相対移動可能な駆動部材と、
を備え、
前記キートップは、受圧部を有し、
前記駆動部材は、前記キートップに対して相対移動することで前記受圧部と接触する押圧部を有し、
前記受圧部及び前記押圧部のうちの少なくとも一方は傾斜面を有し、前記受圧部と前記押圧部とが互いに接触する方向に相対移動した場合に、前記傾斜面を介して前記受圧部が前記押圧部によって押圧され、前記キートップが前記第１位置から前記第２位置に移動することを特徴とする電子機器。
【請求項２】
請求項１に記載の電子機器であって、
前記駆動部材は、隣接するキートップ間を区画するフレームであることを特徴とする電子機器。
【請求項３】
請求項２に記載の電子機器であって、
前記受圧部及び前記押圧部の両方が前記傾斜面を有し、
前記フレームは、前記キートップが上下動可能に挿入される複数のキー挿入孔を有すると共に、該キー挿入孔の内壁面が、前記傾斜面が形成された前記押圧部であり、
前記キートップの前記フレームの押圧部に対向する外周側面が、前記傾斜面が形成された前記受圧部であることを特徴とする電子機器。
【請求項４】
請求項３に記載の電子機器であって、
前記キーボード装置が設けられた本体筐体と、
前記本体筐体に対してヒンジ機構によって回動可能に連結され、ディスプレイが設けられたディスプレイ筐体と、
前記ディスプレイ筐体を前記本体筐体に対して回動させた場合に、前記支持プレートを前記フレームに対して移動させるリンク機構と、
を備えることを特徴とする電子機器。
【請求項５】
請求項１に記載の電子機器であって、
前記駆動部材は、前記支持プレートの上面側で前記キートップの並び方向に沿って延在した棒状のスライド部材であり、
前記受圧部は、前記キートップの外周側面から突出した突出片であり、
前記スライド部材は、各キートップの前記突出片が相対移動可能な状態で挿入され、前記突出片に対向する位置に前記押圧部である駆動穴部を有することを特徴とする電子機器。
【請求項６】
請求項５に記載の電子機器であって、
前記スライド部材は、前記押圧部の最下部から連続して形成され、前記支持プレートの上面と平行する方向に延在した保持面を有し、
前記保持面は、前記スライド部材が移動して前記押圧部が前記受圧部を押圧し、前記キートップが第１位置から第２位置に移動した場合に前記受圧部と当接することにより、前記キートップを前記第２位置で保持することを特徴とする電子機器。
【請求項７】
請求項５又は６に記載の電子機器であって、
前記キートップは、前後左右に並んで配列され、
前記スライド部材は、左右方向に並んだキートップの前側部又は後側部に沿って延在すると共に、前後方向に複数並んで配置されることを特徴とする電子機器。
【請求項８】
請求項７に記載の電子機器であって、
前記キーボード装置が設けられた本体筐体と、
前記本体筐体に対してヒンジ機構によって回動可能に連結され、ディスプレイが設けられたディスプレイ筐体と、
前記ディスプレイ筐体を前記本体筐体に対して回動させた場合に、前記スライド部材を前記支持プレートに対して移動させるリンク機構と、
を備えることを特徴とする電子機器。
【請求項９】
請求項１〜８のいずれか１項に記載の電子機器であって、
前記支持プレートの下面側に連結され、第２弾性部材の付勢力によって下降した下降位置と、前記第２弾性部材の付勢力に抗して上昇した上昇位置との間で上下動する支持部材と、
前記支持部材の上面で支持され、前記支持プレートに形成された開口を挿通して前記キーボード装置の表面に露出したポインティングスティックと、
を備え、
前記駆動部材は、前記支持部材を前記上昇位置で保持し、前記下降位置への移動を規制する規制部を有し、
前記駆動部材と前記キートップとが互いに接近する方向に相対移動した場合に、前記規制部による前記支持部材の規制が解除され、前記支持部材が前記上昇位置から前記下降位置に移動し、前記ポインティングスティックが前記開口内で下方に移動することを特徴とする電子機器。
【請求項１０】
キーボード装置を備える電子機器であって、
前記キーボード装置の支持プレートの下面側に連結され、弾性部材の付勢力によって下降した下降位置と、前記弾性部材の付勢力に抗して上昇した上昇位置との間で上下動する支持部材と、
前記支持部材の上面で支持され、前記支持プレートに形成された開口を挿通して前記キーボード装置の表面に露出した操作部材と、
前記支持プレートに対して、該支持プレートの上面と平行する方向に相対移動可能な駆動部材と、
を備え、
前記駆動部材は、前記支持部材を前記上昇位置で保持し、前記下降位置への移動を規制する規制部を有し、
前記支持部材が前記上昇位置にある状態で前記駆動部材と前記支持プレートとが相対移動した場合に、前記規制部による前記支持部材の規制が解除され、前記支持部材が前記上昇位置から前記下降位置に移動し、前記操作部材が前記開口内で下方に移動することを特徴とする電子機器。
【請求項１１】
請求項１０に記載の電子機器であって、
前記支持部材は、前記支持プレートの下面に対して回動可能に連結された回動軸部を一端部に有し、前記規制部に近接する方向に向かって次第に下から上へと傾斜した規制傾斜面を他端部に有し、
前記支持部材が前記下降位置にある状態で前記駆動部材と前記支持プレートとが相対移動した場合に、前記規制傾斜面が前記規制部に乗り上げることで前記支持部材が前記下降位置から前記上昇位置に移動し、同時に前記支持部材の前記下降位置への移動が規制されることを特徴とする電子機器。
【請求項１２】
請求項１０又は１１に記載の電子機器であって、
前記キーボード装置及び前記操作部材が設けられた本体筐体と、
前記本体筐体に対してヒンジによって回動可能に連結され、ディスプレイが設けられたディスプレイ筐体と、
前記ディスプレイ筐体を前記本体筐体に対して回動させた場合に、前記支持プレートを前記駆動部材に対して移動させるリンク機構と、
を備え、
前記操作部材は、前記ディスプレイに表示されるカーソルを操作するポインティングスティックであることを特徴とする電子機器。
【発明の詳細な説明】
【技術分野】
【０００１】
本発明は、キーボード装置を備える電子機器に関する。
【背景技術】
【０００２】
例えばディスプレイ筐体を本体筐体に対して１８０度位置を越えて３６０度位置まで反転可能に連結した構成を有するノート型ＰＣ等の電子機器では、キーボードを有する面が机などに直に接することがある。そのためキートップが破損するおそれがある。
【０００３】
また、通常、この種の電子機器の本体筐体には、上下動可能に弾性支持された複数のキートップを備えるキーボード装置が搭載されている。キーボード装置は、高い操作性を確保するためにある程度のキーストロークを確保しておく必要がある。従って、ディスプレイ筐体を閉じた際にディスプレイが本体筐体上面のキーボード装置に干渉することを避けるためには、キーボード装置自体にある程度の厚みを担保しておく必要があり、筐体の薄型化に対する障壁となり得る。
【０００４】
本出願人は特許文献１において、各キートップを押下可能な構成を提案している。この構成によれば、キーボードを使用しない形態においてキートップを筐体に収納できるためキートップを保護でき、またディスプレイ筐体を閉じた際の電子機器の筐体全体としての薄型化が図られる。
【先行技術文献】
【特許文献】
【０００５】
【特許文献１】特許第５９８０３７４号公報
【発明の概要】
【発明が解決しようとする課題】
【０００６】
上記特許文献１の構成は、通常のキーボード装置の構成に加えてキートップを押し下げるための複数の部品を備えるため、コストが増加する問題がある。特に、この構成では、ディスプレイ筐体の回動に伴って回転する回転軸部材や、この回転軸部材に接合された押圧片等、特殊な部品を多く必要とし、部品コストの一層の増大を招いている。
【０００７】
本発明は、上記従来技術の課題を考慮してなされたものであり、低コストで筐体にキートップを収納することができる電子機器を提供することを目的とする。
【課題を解決するための手段】
【０００８】
本発明の第１態様に係る電子機器は、キーボード装置を備える電子機器であって、支持プレートと、前記支持プレートの上面側で支持され、弾性部材の付勢力によって上昇した第１位置と、前記弾性部材の付勢力に抗して下降した第２位置との間で上下動する複数のキートップと、前記キートップに対して、前記支持プレートの上面と平行する方向に相対移動可能な駆動部材と、を備え、前記キートップは、受圧部を有し、前記駆動部材は、前記キートップに対して相対移動することで前記受圧部と接触する押圧部を有し、前記受圧部及び前記押圧部のうちの少なくとも一方は傾斜面を有し、前記受圧部と前記押圧部とが互いに接触する方向に相対移動した場合に、前記傾斜面を介して前記受圧部が前記押圧部によって押圧され、前記キートップが前記第１位置から前記第２位置に移動する。
【０００９】
このような構成によれば、キートップと駆動部材とに、それぞれ受圧部と押圧部とを設け、キートップと駆動部材とを相対移動させるだけで、非使用時にキートップを第１位置から下方に押し下げた第２位置に保持することができる。このため、キートップを押し下げるための特殊な部品を複数追加する必要がなく、低コストで筐体にキートップを収納することができ、また筐体の薄型化を図ることができる。
【００１０】
前記駆動部材は、隣接するキートップ間を区画するフレームで構成してもよい。そうすると、キートップ間を区画するフレームを利用してキートップを第１位置から第２位置に移動させることができるため、部品点数をさらに低減することができる。
【００１１】
前記受圧部及び前記押圧部の両方が前記傾斜面を有し、前記フレームは、前記キートップが上下動可能に挿入される複数のキー挿入孔を有すると共に、該キー挿入孔の内壁面が、前記傾斜面が形成された前記押圧部であり、前記キートップの前記フレームの押圧部に対向する外周側面が、前記傾斜面が形成された前記受圧部であってよい。そうすると、キートップとフレームとにそれぞれ傾斜面を形成するだけでキートップを第１位置から第２位置に移動させることができるため、構成を一層簡素化でき、コストを一層低減できる。
【００１２】
前記キーボード装置が設けられた本体筐体と、前記本体筐体に対してヒンジ機構によって回動可能に連結され、ディスプレイが設けられたディスプレイ筐体と、前記ディスプレイ筐体を前記本体筐体に対して回動させた場合に、前記支持プレートを前記フレームに対して移動させるリンク機構と、を備える構成としてもよい。そうすると、ディスプレイ筐体の本体筐体に対する回動角度に応じて適宜キートップを第１位置又は第２位置に設定できる。
【００１３】
前記駆動部材は、前記支持プレートの上面側で前記キートップの並び方向に沿って延在した棒状のスライド部材であり、前記受圧部は、前記キートップの外周側面から突出した突出片であり、前記スライド部材は、各キートップの前記突出片が相対移動可能な状態で挿入され、前記突出片に対向する位置に前記押圧部である駆動穴部を有する構成としてもよい。そうすると、スライド部材を移動させるだけで、キートップを第１位置から第２位置に移動させることができるため、構成の簡素化とコストの低減とが可能となる。
【００１４】
前記スライド部材は、前記押圧部の最下部から連続して形成され、前記支持プレートの上面と平行する方向に延在した保持面を有し、前記保持面は、前記スライド部材が移動して前記押圧部が前記受圧部を押圧し、前記キートップが第１位置から第２位置に移動した場合に前記受圧部と当接することにより、前記キートップを前記第２位置で保持する構成としてもよい。そうすると、キートップを第２位置でより確実に保持しておくことができる。
【００１５】
前記キートップは、前後左右に並んで配列され、前記スライド部材は、左右方向に並んだキートップの前側部又は後側部に沿って延在すると共に、前後方向に複数並んで配置される構成としてもよい。そうすると、各キートップ間の隙間スペースを利用してスライド部材を配置できる。
【００１６】
前記キーボード装置が設けられた本体筐体と、前記本体筐体に対してヒンジ機構によって回動可能に連結され、ディスプレイが設けられたディスプレイ筐体と、前記ディスプレイ筐体を前記本体筐体に対して回動させた場合に、前記スライド部材を前記支持プレートに対して移動させるリンク機構と、を備える構成としてもよい。そうすると、ディスプレイ筐体の本体筐体に対する回動角度に応じて適宜キートップを第１位置又は第２位置に設定できる。
【００１７】
前記支持プレートの下面側に連結され、第２弾性部材の付勢力によって下降した下降位置と、前記第２弾性部材の付勢力に抗して上昇した上昇位置との間で上下動する支持部材と、前記支持部材の上面で支持され、前記支持プレートに形成された開口を挿通して前記キーボード装置の表面に露出したポインティングスティックと、を備え、前記駆動部材は、前記支持部材を前記上昇位置で保持し、前記下降位置への移動を規制する規制部を有し、前記駆動部材と前記キートップとが互いに接近する方向に相対移動した場合に、前記規制部による前記支持部材の規制が解除され、前記支持部材が前記上昇位置から前記下降位置に移動し、前記ポインティングスティックが前記開口内で下方に移動する構成としてもよい。そうすると、非使用時にはキートップと同時にポインティングスティックも装置上面から押し下げて収納することができ、また筐体を一層薄型化することができる。
【００１８】
本発明の第２態様に係る電子機器は、キーボード装置を備える電子機器であって、前記キーボード装置の支持プレートの下面側に連結され、弾性部材の付勢力によって下降した下降位置と、前記弾性部材の付勢力に抗して上昇した上昇位置との間で上下動する支持部材と、前記支持部材の上面で支持され、前記支持プレートに形成された開口を挿通して前記キーボード装置の表面に露出した操作部材と、前記支持プレートに対して、該支持プレートの上面と平行する方向に相対移動可能な駆動部材と、を備え、前記駆動部材は、前記支持部材を前記上昇位置で保持し、前記下降位置への移動を規制する規制部を有し、前記支持部材が前記上昇位置にある状態で前記駆動部材と前記支持プレートとが相対移動した場合に、前記規制部による前記支持部材の規制が解除され、前記支持部材が前記上昇位置から前記下降位置に移動し、前記操作部材が前記開口内で下方に移動する。
【００１９】
このような構成によれば、キーボード装置の表面に露出した操作部材を非使用時に装置上面から押し下げて収納することができる。このため、操作部材を筐体に収納することができ、また筐体を薄型化することができる。
【００２０】
前記支持部材は、前記支持プレートの下面に対して回動可能に連結された回動軸部を一端部に有し、前記規制部に近接する方向に向かって次第に下から上へと傾斜した規制傾斜面を他端部に有し、前記支持部材が前記下降位置にある状態で前記駆動部材と前記支持プレートとが相対移動した場合に、前記規制傾斜面が前記規制部に乗り上げることで前記支持部材が前記下降位置から前記上昇位置に移動し、同時に前記支持部材の前記下降位置への移動が規制される構成としてもよい。
【００２１】
前記キーボード装置及び前記操作部材が設けられた本体筐体と、前記本体筐体に対してヒンジ機構によって回動可能に連結され、ディスプレイが設けられたディスプレイ筐体と、前記ディスプレイ筐体を前記本体筐体に対して回動させた場合に、前記支持プレートを前記駆動部材に対して移動させるリンク機構と、を備え、前記操作部材は、前記ディスプレイに表示されるカーソルを操作するポインティングスティックであってもよい。
【発明の効果】
【００２２】
本発明の上記態様によれば、低コストで筐体にキートップを収納することができる。
【図面の簡単な説明】
【００２３】
【図１】図１は、本発明の第１の実施形態に係る電子機器の平面図である。
【図２Ａ】図２Ａは、図１に示す電子機器の側面図である。
【図２Ｂ】図２Ｂは、図２Ａに示す状態からディスプレイ筐体を開き方向に回動させて３６０度位置としたタブレット型ＰＣの使用形態での側面図である。
【図３Ａ】図３Ａは、キートップが使用位置にある状態でのキーボード装置とフレームとの位置関係を模式的に示す側面断面図である。
【図３Ｂ】図３Ｂは、図３Ａに示す状態からキー位置設定機構によってキートップが収納位置とされた状態でのキーボード装置とフレームとの位置関係を模式的に示す側面断面図である。
【図４】図４は、キー位置設定機構の構成を模式的に示す平面図である。
【図５】図５は、ヒンジ機構とリンク機構の構成例を模式的に示す平面図である。
【図６Ａ】図６Ａは、０度位置での各カム部材と可動筒体を周方向に展開して模式的に示した展開図である。
【図６Ｂ】図６Ｂは、９０度位置での各カム部材と可動筒体を周方向に展開して模式的に示した展開図である。
【図７】図７は、受圧部にリブを設けたキートップの構成を模式的に示す斜視図である。
【図８】図８は、受圧部をキートップの側部に設けた板片に形成した構成例を模式的に示す側面断面図である。
【図９】図９は、受圧部をキートップの左側の外周側面に形成した構成例を模式的に示す側面断面図である。
【図１０Ａ】図１０Ａは、ポインティングスティックを上下動させるスティック位置設定機構の構成を模式的に示す側面断面図である。
【図１０Ｂ】図１０Ｂは、図１０Ａに示す状態からスティック位置設定機構によってポインティングスティックが収納位置とされた状態での側面断面図である。
【図１１】図１１は、第２の実施形態に係る電子機器に搭載されるキー位置設定機構の構成を模式的に示す要部拡大平面図である。
【図１２】図１２は、図１１に示すキー位置設定機構の構成要素の分解斜視図である。
【図１３Ａ】図１３Ａは、図１１に示すキー位置設定機構においてキートップが使用位置にある状態を模式的に示す図１１中のＸＩＩＩ−ＸＩＩＩ線に沿う断面図である。
【図１３Ｂ】図１３Ｂは、図１３Ａに示す状態からキー位置設定機構によってキートップが収納位置とされた状態での断面図である。
【図１４】図１４は、左右スライダに代えて第２前後スライダを用いた構成例を模式的に示す平面図である。
【発明を実施するための形態】
【００２４】
以下、本発明に係る電子機器について好適な実施の形態を挙げ、添付の図面を参照しながら詳細に説明する。
【００２５】
図１は、本発明の第１の実施形態に係る電子機器１０の平面図である。図１は、ヒンジ機構１２Ｌ，１２Ｒによってディスプレイ筐体１４を本体筐体１６から開いてノート型ＰＣの使用形態とした電子機器１０を上から見た図である。図２Ａは、図１に示す電子機器１０の側面図である。図２Ｂは、図２Ａに示す状態からディスプレイ筐体１４を開き方向に回動させて３６０度位置としたタブレット型ＰＣの使用形態での側面図である。
【００２６】
本実施形態に係る電子機器１０は、ノート型ＰＣ及びタブレット型ＰＣとして使用可能なコンバーチブル型ＰＣである。電子機器１０は、ディスプレイ筐体１４を本体筐体１６に対して９０度〜１８０度程度の角度位置に回動させた状態ではノート型ＰＣとして好適に使用可能なノートモードとなる（図１及び図２Ａ参照）。電子機器１０は、ディスプレイ筐体１４を本体筐体１６に対して３６０度位置まで回動させた状態ではタブレット型ＰＣとして好適に使用可能なタブレットモードとなる（図２Ｂ参照）。電子機器１０はディスプレイ筐体１４を本体筐体１６に対して０度〜１８０度程度の角度範囲で回動可能な一般的なノート型ＰＣでもよい。電子機器１０はコンバーチブル型ＰＣやノート型ＰＣ以外、例えば携帯電話、スマートフォン又は電子手帳等であってもよい。
【００２７】
以下、図１及び図２Ａに示すノートモードを基準とし、ディスプレイ１８を視認しながらキーボード装置２０を操作する使用者から見た方向で、手前側を前、奥側を後と呼び、本体筐体１６の厚み方向を上下方向、幅方向を左右方向と呼んで説明する。
【００２８】
本体筐体１６に対するディスプレイ筐体１４の角度位置については、ディスプレイ筐体１４を本体筐体１６に対して完全に閉じた状態とし、互いの前面１４ａと上面１６ａとが対面した姿勢、つまりディスプレイ１８とキーボード装置２０が対面した姿勢を０度位置（図２Ａ中に本体筐体１６の上に２点鎖線で示したディスプレイ筐体１４参照）と呼ぶ。そして、この０度位置を基準として、ディスプレイ筐体１４を開き方向に回動させる方向で角度を刻みながら説明する。例えばディスプレイ筐体１４の前面１４ａと本体筐体１６の上面１６ａとが直交した姿勢を９０度位置と呼ぶ。前面１４ａと上面１６ａとが同一方向（上方）を向いて互いに平行した姿勢を１８０度位置（図２Ａ中に本体筐体１６の右に２点鎖線で示したディスプレイ筐体１４参照）と呼ぶ。ディスプレイ筐体１４と本体筐体１６の裏面１４ｂ，１６ｂ同士が対面した姿勢を３６０度位置（図２Ｂ参照）と呼ぶ。これら０度位置、１８０度位置及び３６０度位置等の表記については、本体筐体１６、ディスプレイ筐体１４又はヒンジ機構１２Ｌ，１２Ｒの構造により、角度数字の示す正確な角度位置から多少ずれた角度位置となることも当然生じることがある。
【００２９】
図１、図２Ａ及び図２Ｂに示すように、電子機器１０は、ディスプレイ筐体１４と本体筐体１６とを左右一対のヒンジ機構１２Ｌ，１２Ｒ（以下、まとめて「ヒンジ機構１２」と呼ぶこともある）によって０度位置から３６０度位置まで回動可能に連結した構成である。
【００３０】
ディスプレイ筐体１４は、ヒンジ機構１２を通過した図示しないケーブルにより本体筐体１６と電気的に接続されている。ディスプレイ１８は、例えばタッチパネル式の液晶ディスプレイによって構成される。
【００３１】
本体筐体１６は、扁平箱状に形成され、その後端部にヒンジ機構１２が設けられている。本体筐体１６の内部には、図示しない基板、演算装置及びメモリ等の各種電子部品が収納されている。キーボード装置２０は、本体筐体１６の上面１６ａに設けられている。キーボード装置２０の略中央にはポインティングスティック（操作部材）２２が設けられている。ポインティングスティック２２はディスプレイ１８に表示されるカーソル（マウスポインタ）を操作するための操作部材であり、マウスの代わりとして操作できる。キーボード装置２０の前側にはタッチパッド２３が設けられている。タッチパッド２３はディスプレイ１８に表示されるカーソル（マウスポインタ）を操作するためのものである。タッチパッド２３の後側には、ポインティングスティック２２又はタッチパッド２３によるカーソル操作と連係して機能する３つの機能ボタンが設けられている。
【００３２】
キーボード装置２０は、前後左右方向に並ぶように配列された複数のキースイッチ２４を備える。各キースイッチ２４の操作面を構成する各キートップ２５は、周囲の隙間がフレーム（駆動部材）２６によって埋められている。キーボード装置２０は、隣接するキートップ２５間がフレーム２６によって区画され、それぞれが独立した構成からなるアイソレーション型の構造である。
【００３３】
フレーム２６は、各キートップ２５が配置される複数のキー挿入孔２６ａ（図３Ａも参照）が形成された網目状のプレートである。本実施形態の場合、フレーム２６は、本体筐体１６の上面１６ａを形成するカバー部材と一体成形されており、例えばマグネシウム等の金属材料或いは樹脂材料で形成されている。フレーム２６は、本体筐体１６と別体に構成され、本体筐体１６に固定された構成でもよい。
【００３４】
本体筐体１６は、少なくとも０度位置及び３６０度位置において、キートップ２５を通常操作時の使用位置（第１位置）から下方に押し下げた収納位置（第２位置）に移動させて保持するキー位置設定機構２８を備える（図３Ａ及び図３Ｂ参照）。これにより電子機器１０は、０度位置や３６０度位置でキートップ２５が本体筐体１６の上面１６ａから突出しない薄型構造となっている。キー位置設定機構２８によるキートップ２５の上下動作は、ヒンジ機構１２によるディスプレイ筐体１４の回動動作と連動する。
【００３５】
図３Ａは、キートップ２５が使用位置にある状態でのキーボード装置２０とフレーム２６との位置関係を模式的に示す側面断面図である。図３Ｂは、図３Ａに示す状態からキー位置設定機構２８によってキートップ２５が収納位置とされた状態でのキーボード装置２０とフレーム２６との位置関係を模式的に示す側面断面図である。
【００３６】
図３Ａ及び図３Ｂに示すように、キーボード装置２０は、キートップ２５をガイド機構２９で上下動可能に支持したキースイッチ２４と、キースイッチ２４を上面３０ａ側で支持する支持プレート３０とを備える。支持プレート３０は、ベースプレート３１と、ベースプレート３１の上面に積層されたメンブレンシート３２と、ベースプレート３１の下面に積層されたバックライトシート３３とで構成した３層構造である。
【００３７】
ベースプレート３１は、薄いアルミニウム板等の金属板に切り起こし成形や打ち抜き成形を施したものであり、キースイッチ２４の取付板となるものである。全てのキースイッチ２４は、１枚のベースプレート３１を共用している。メンブレンシート３２は、例えば押圧された場合に接点が閉じる三層構造のスイッチシートである。メンブレンシート３２は、固定接点及び可動接点が重なる位置が押圧された場合に、固定接点と可動接点とが密着することで接点を閉じるものである。メンブレンシート３２は、３層構造以外、例えばゴム製の導電部が回路を短絡させる接触スイッチを用いた構造等でもよい。メンブレンシート３２は各所に貫通孔を有し、この貫通孔を通してガイド機構２９がベースプレート３１の上面に着地する。メンブレンシート３２は、ベースプレート３１の下面側に積層されてもよい。バックライトシート３３は、ＬＥＤ素子等の光源から発せられた光を導光して反射することにより、各キートップ２５を下面側から照射する。バックライトシート３３は省略してもよく、代わりに防水シートを設けてもよい。
【００３８】
キートップ２５は、支持プレート３０の上方にガイド機構２９及びラバードーム（弾性部材）３６を介して上下動可能に配設される。キートップ２５は樹脂等で成形され、平面視で略四角形状を有する。キートップ２５は、操作面となる上面２５ａと、上面２５ａの４辺の縁部から下方に延びた四周の外周側面２５ｂ，２５ｃ，２５ｄ，２５ｅとを有する。
【００３９】
ガイド機構２９は、キートップ２５を上下動可能に支持するものであり、ベースプレート３１とキートップ２５との間に折り畳み可能に取り付けられている。ガイド機構２９は、例えば２枚の枠体を筋交い状に取り付けたパンタグラフ構造である。ラバードーム３６は、キートップ２５が押下された場合にメンブレンシート３２を押圧し、キートップ２５の押下操作が解除された際にキートップ２５を元の位置に復帰させる弾性部材である。ラバードーム３６は、メンブレンシート３２とキートップ２５との間に配設されている。ラバードーム３６は、シリコンゴム等、可撓性を有する弾性材料で形成されている。キートップ２５は、ガイド機構２９によって上下動可能にガイドされた状態で、ラバードーム３６によって弾性支持されている。
【００４０】
キースイッチ２４は、キートップ２５が押下操作されるとその操作力でラバードーム３６が弾性変形すると共にメンブレンシート３２が押圧され、メンブレンシート３２は接点を閉じる。キートップ２５への押下操作が解除されると、ラバードーム３６の弾性復元力によってキートップ２５が元の位置（使用位置）に戻り、メンブレンシート３２が接点を開く。
【００４１】
次に、各キートップ２５を収納位置に押し下げて保持するキー位置設定機構２８の構成例を説明する。図４は、キー位置設定機構２８の構成を模式的に示す平面図である。
【００４２】
図３Ａ、図３Ｂ及び図４に示すように、キー位置設定機構２８は、キートップ２５と、フレーム２６と、前後スライダ３８と、リンク機構４０とを有する。
【００４３】
図３Ａ及び図３Ｂに示すように、キートップ２５は、前側の外周側面２５ｂが後側から前側に向かって次第に上から下へと傾斜した前下がりの傾斜面で構成されている。以下、この前側の外周側面２５ｂを受圧部２５ｂとも呼ぶ。
【００４４】
フレーム２６は、支持プレート３０の上面３０ａ上に移動可能に載置され、段付きねじ４２を用いて支持プレート３０と連結されている。キーボード装置２０は、支持プレート３０を板厚方向に貫通し、前後方向に延びた複数のガイド長孔４４を有する。段付きねじ４２は、ねじ部４２ａがガイド長孔４４を通してフレーム２６の下面２６ｂにねじ止めされる。その際、段付きねじ４２の段部４２ｂは、フレーム２６の下面２６ｂに突き当てられると共に、ガイド長孔４４内で移動可能に配置される。これにより支持プレート３０は、段付きねじ４２の頭部４２ｃとフレーム２６の下面２６ｂとの間で上下方向に移動不能に、且つガイド長孔４４に沿って移動可能に支持される。つまり支持プレート３０及びこれに支持された各キースイッチ２４は、フレーム２６（本体筐体１６）に対して、ガイド長孔４４に沿って前後方向に移動可能な状態で連結されている。
【００４５】
フレーム２６は、キー挿入孔２６ａの四周の内壁面のうち、キートップ２５の受圧部２５ｂと対向する前側の内壁面に押圧部２６ｃを有する。押圧部２６ｃは、前側から後側に向かって次第に下から上へと傾斜した後上がりの傾斜面であり、受圧部２５ｂと摺動可能に対向配置されている。押圧部２６ｃは、キートップ２５が使用位置にある状態で、その後端縁部が受圧部２５ｂの前端縁部を上方からほとんど覆い隠す位置にある（図３Ａ参照）。これによりキーボード装置２０の平面視で受圧部２５ｂと押圧部２６ｃとの間の隙間が隠される。押圧部２６ｃは、キートップ２５が収納位置にある状態で、その後端縁部が受圧部２５ｂの後端縁部に近接し、キートップ２５の上面２５ａがフレーム２６の上面２６ｄと略面一となる。
【００４６】
前後スライダ３８は、本体筐体１６に対して前後方向にスライド可能に設けられた長尺矩形状のプレートである。前後スライダ３８は、キーボード装置２０の左右で一対設けられており、それぞれ支持プレート３０の側縁部、具体的にはベースプレート３１の側縁部と連結されている。前後スライダ３８は、リンク機構４０からの駆動力を受けて前後方向にスライドし、これによりキーボード装置２０、つまり支持プレート３０及びこれに支持された各キースイッチ２４を前後方向に移動させる。
【００４７】
リンク機構４０は、ヒンジ機構１２によるディスプレイ筐体１４の回動動作と前後スライダ３８の動作とを連動させる機構である。リンク機構４０の説明に先立ち、ヒンジ機構１２の構成例を説明する。
【００４８】
図５は、ヒンジ機構１２とリンク機構４０の構成例を模式的に示す平面図である。以下では、図５に示すように、リンク機構４０及びこれと連動するリンク機構４０として、左側のヒンジ機構１２Ｌ及び左側のリンク機構４０の構成を代表的に説明する。なお、右側のヒンジ機構１２Ｒ及びこれと連動する右側のリンク機構４０は左側のものと左右対称構造である以外は同一構造のため、その詳細な説明は省略する。
【００４９】
図５に示すように、ヒンジ機構１２は、左右方向に延在する第１シャフト４６と、第１シャフト４６と平行して設置された第２シャフト４７と、第１シャフト４６及び第２シャフト４７を回転可能に軸支して収納する箱状のヒンジ筐体４８とを備える（図２Ａ及び図２Ｂも参照）。
【００５０】
第１シャフト４６は、一端部に固定された取付板４６ａが本体筐体１６に固定されることで本体筐体１６と一体的に回転する。第２シャフト４７は、一端部に固定された取付板４７ａがディスプレイ筐体１４に固定されることでディスプレイ筐体１４と一体的に回転する。第１シャフト４６及び第２シャフト４７の他端部はヒンジ筐体４８の内部で回転可能な状態で支持されている。本実施形態の場合、第１シャフト４６及び第２シャフト４７はヒンジ筐体４８内に収容された図示しない歯車列を介して同期回転する。
【００５１】
第１シャフト４６は、ヒンジ筐体４８の外側となる部分の外周面に第１カム部材５０と第２カム部材５１とが外嵌されると共に、各カム部材５０，５１間に可動筒体５２が外挿されている。各カム部材５０，５１は、互いの間に可動筒体５２が移動する間隔を介して配置され、それぞれ第１シャフト４６の外周面に対して回転不能な状態で嵌合している。可動筒体５２は、第１シャフト４６の外周面に対して回転可能に且つ軸方向に移動可能な状態で外挿されている。
【００５２】
第１カム部材５０は、可動筒体５２側の端面に周方向に沿って軸方向位置が変化する第１カム面５４を有する。第２カム部材５１は、可動筒体５２側の端面に周方向に沿って軸方向位置が変化する第２カム面５５を有する。
【００５３】
可動筒体５２は、取付板４６ａの表面で左右方向に移動可能に支持されたスライドリンク５６と固定されている。可動筒体５２は、左右端面のそれぞれに周方向に沿って軸方向位置が変化する第１受圧面５７及び第２受圧面５８を有する。スライドリンク５６の右側面には、コイルばね６０の一端が係止されている。コイルばね６０の他端は、取付板４６ａの表面に突設された係止ピン６１に係止されている。コイルばね６０は、可動筒体５２が第１カム部材５０側に移動する方向に向かってスライドリンク５６を常時付勢している。
【００５４】
スライドリンク５６は、前側に突出した連結板５６ａを有する。連結板５６ａには、孔部５６ｂが形成され、孔部５６ｂには揺動リンク６２から突出した連結ピン６２ａが回転可能に挿入されている。揺動リンク６２は、平面視略Ｌ字状のプレートである。揺動リンク６２は、Ｌ字の短辺となる部分の端部が連結ピン６２ａを用いてスライドリンク５６と回転可能に連結され、Ｌ字の長辺となる部分の端部がリンクピン６２ｂを用いて前後スライダ３８の後端部と回転可能に連結されている。揺動リンク６２のＬ字の角部となる部分は、取付板４６ａに対して回転軸６２ｃを用いて回転可能に支承されている。
【００５５】
図６Ａ及び図６Ｂは、各カム部材５０，５１と可動筒体５２を周方向に展開して模式的に示した展開図である。図６Ａは０度位置での位置関係を示し、図６Ｂは９０度位置での位置関係を示している。図６Ａ及び図６Ｂ中に示す矢印は、ディスプレイ筐体１４を０度位置から３６０度位置に向かって回動させる場合の各カム部材５０，５１及び可動筒体５２の動作を示している。つまりディスプレイ筐体１４を３６０度位置から０度位置に向かって回動させる場合は、各カム部材５０，５１及び可動筒体５２は図６Ａ及び図６Ｂ中に示す矢印とは逆方向に動作する。
【００５６】
図６Ａ及び図６Ｂに示すように、第１カム部材５０の第１カム面５４は、周方向に沿って軸方向（左右方向）に螺旋状に変位する第１作動面５４ａ及び第２作動面５４ｃと、周方向に沿って延在する第１空振り面５４ｂ及び第２空振り面５４ｄとを有する。第２カム部材５１の第２カム面５５は、周方向に沿って軸方向（左右方向）に螺旋状に変位する第１作動面５５ａ及び第２作動面５５ｃと、周方向に沿って延在する第１空振り面５５ｂ及び第２空振り面５５ｄとを有する。
【００５７】
可動筒体５２の第１受圧面５７は、周方向に沿って軸方向（左右方向）に螺旋状に変位する第１受圧面５７ａ及び第２受圧面５７ｂと、周方向に沿って延在する空振り面５７ｃとを有する。第２受圧面５８は、周方向に沿って延在する空振り面５８ａと、周方向に沿って軸方向（左右方向）に螺旋状に変位する第１受圧面５８ｂ及び第２受圧面５８ｃとを有する。第１受圧面５７は、第１カム面５４に摺接可能に対向配置され、第２受圧面５８は、第２カム面５５に摺接可能に対向配置されている。
【００５８】
第１カム面５４及び第１受圧面５７では、０度位置から３０度位置までの間は、第１作動面５４ａが第１受圧面５７ａに摺接する（図６Ａ参照）。このため、可動筒体５２が次第に左側（第２カム面５５側）に移動する。３０度位置から１８０度位置までの間は、第１空振り面５４ｂに第１受圧面５７ａと第２受圧面５７ｂとの間の頂部が摺接する（図６Ｂ参照）。このため、可動筒体５２は移動しない。１８０度位置から２７０度位置までの間は、第２作動面５４ｃに第１受圧面５７ａと第２受圧面５７ｂとの間の頂部が摺接する。このため、可動筒体５２が次第に右側（第１カム面５４側）に移動する。２７０度位置から３６０度位置までの間は、第２空振り面５４ｄに第１受圧面５７ａと第２受圧面５７ｂとの間の頂部が摺接する。このため、可動筒体５２は移動しない。
【００５９】
第２カム面５５及び第２受圧面５８では、０度位置から３０度位置までの間は第１作動面５５ａに第２受圧面５８ｃが摺接する（図６Ａ参照）。このため、可動筒体５２が次第に左側（第２カム面５５側）に移動する。３０度位置から１８０度位置までの間は、第１空振り面５５ｂに第１受圧面５８ｂと第２受圧面５８ｃとの間の頂部が摺接する（図６Ｂ参照）。このため、可動筒体５２は移動しない。１８０度位置から２７０度位置までの間は、第２作動面５５ｃが第１受圧面５８ｂに摺接する。このため、可動筒体５２が次第に右側（第１カム面５４側）に移動する。２７０度位置から３６０度位置までの間は、第２空振り面５５ｄに第１受圧面５８ｂと第２受圧面５８ｃとの間の頂部が摺接する。このため、可動筒体５２は移動しない。
【００６０】
つまりリンク機構４０は、ディスプレイ筐体１４を本体筐体１６に対してヒンジ機構１２を介して回動させる動作と連動して可動筒体５２が左右に移動し、これによりスライドリンク５６が左右に移動し、揺動リンク６２を揺動させる。その結果、前後スライダ３８が前後に移動する。
【００６１】
次に、ディスプレイ筐体１４の回動動作した際のキー位置設定機構２８の動作を説明する。
【００６２】
先ず、ディスプレイ筐体１４が０度位置にある場合は、可動筒体５２（スライドリンク５６）が最も第１カム部材５０側（図６Ａ中で最も右側）に移動した位置にあり、前後スライダ３８が最も前側に移動した位置にある。この状態では、図３Ｂに示すように、キーボード装置２０が最も前側に移動した位置にある。このため、キートップ２５は、受圧部２５ｂがフレーム２６の押圧部２６ｃに押圧されて押し下げられた収納位置に保持されている。従って、キートップ２５の上面２５ａがフレーム２６の上面２６ｄと面一又は僅かに低い位置にあり、キーボード装置２０の上面は平面状に構成される。その結果、本体筐体１６に対して閉じられたディスプレイ筐体１４がキートップ２５に干渉することがなく、電子機器１０の板厚が可及的に薄型化されている。
【００６３】
次に、ディスプレイ筐体１４が０度位置から開き方向に回動されるとヒンジ機構１２のヒンジ筐体４８も回動し、各カム部材５０，５１の各カム面５４，５５が可動筒体５２の各受圧面５７，５８に摺接する。
【００６４】
０度位置から３０度位置の間では、可動筒体５２（スライドリンク５６）が次第に第２カム部材５１側（図６Ａ中で左側）に移動し、前後スライダ３８が次第に後側に移動する。前後スライダ３８が前側に移動すると、キーボード装置２０も後側に移動する。このため、キートップ２５は、フレーム２６に対して相対的に後側に移動し、受圧部２５ｂが押圧部２６ｃに摺接しつつ、次第に押圧部２６ｃから離間する。その結果、受圧部２５ｂが押圧部２６ｃに沿って次第に上昇するため、ラバードーム３６の付勢力によってキートップ２５も上昇する。
【００６５】
３０度位置では、可動筒体５２（スライドリンク５６）が最も第２カム部材５１側（図６Ａ中で最も左側）に移動した位置となり、前後スライダ３８が最も後側に移動した位置となる。この状態では、図３Ａに示すように、キーボード装置２０が最も後側に移動した位置にある。このため、キートップ２５は、受圧部２５ｂがフレーム２６の押圧部２６ｃから離間して最も上昇した使用位置となる。つまり電子機器１０では、ディスプレイ筐体１４を３０度位置まで開いた段階でキートップ２５がフレーム２６の上面２６ｄから上方に突出した使用位置となるため、キーボード装置２０が使用可能な状態となる。
【００６６】
３０度位置から１８０度位置の間は、図６Ｂに示すように可動筒体５２（スライドリンク５６）の左右方向位置が変化しない。従って、前後スライダ３８の位置も変化しないため、キートップ２５は使用位置に維持される（図３Ａ参照）。つまり電子機器１０では、ノート型ＰＣとしての使用が想定される３０〜１８０度位置の間ではキーボード装置２０が使用可能な状態に維持される。
【００６７】
１８０度位置から２７０度位置の間では、図６Ａ及び図６Ｂから明らかなように、可動筒体５２（スライドリンク５６）が次第に第１カム部材５０側（図６Ａ中で右側）に移動し、前後スライダ３８が次第に前側に移動する。このため、キーボード装置２０も前側に移動する。つまり、キートップ２５がフレーム２６に対して相対的に前側に移動し、受圧部２５ｂが押圧部２６ｃに摺接しつつ押圧される。その結果、受圧部２５ｂが押圧部２６ｃに沿って次第に下降するため、ラバードーム３６の付勢力に抗してキートップ２５も下降する。
【００６８】
２７０度位置では、可動筒体５２（スライドリンク５６）が最も第１カム部材５０側（図６Ａ中で最も右側）に移動した位置となり、前後スライダ３８が最も前側に移動した位置となる。この状態では、図３Ｂに示すように、０度位置の場合と同様、キートップ２５が収納位置に保持される。従って、キートップ２５の上面２５ａがフレーム２６の上面２６ｄと面一又は僅かに低い位置にあり、キーボード装置２０の上面は平面状に構成される。
【００６９】
２７０度位置から３６０度位置の間は、図６Ａ及び図６Ｂから明らかなように、可動筒体５２（スライドリンク５６）の左右方向位置が変化しない。従って、前後スライダ３８の位置も変化しないため、キートップ２５は収納位置に維持される（図３Ｂ参照）。つまり、電子機器１０は、タブレット型ＰＣでの背面となる本体筐体１６の上面１６ａが平板状に構成され、キートップ２５による凹凸形状がない。このため、タブレット型ＰＣとして使用する際、キーボード装置２０が邪魔になることがない。
【００７０】
一方、３６０度位置にあるディスプレイ筐体１４を閉じ方向に回動動作させる場合には、上記の開き方向への回動動作と逆方向の動作が生じる。すなわち、ディスプレイ筐体１４が３６０度位置から２７０度位置を経て１８０度位置へと回動されるのに伴い、次第にキートップ２５が上昇し、１８０度位置で使用位置に復帰する。
【００７１】
１８０度位置から３０度位置まではキートップ２５の使用位置が維持される。そして、ディスプレイ筐体１４が３０度位置から０度位置へと回動されるのに伴い、今度は、可動筒体５２（スライドリンク５６）が次第に第１カム部材５０側（図６Ａ中で右側）に移動し、前後スライダ３８が次第に前側に移動する。このため、キーボード装置２０も前側に移動するため、キートップ２５がフレーム２６に対して相対的に前側に移動し、受圧部２５ｂが押圧部２６ｃに摺接しつつ押圧される。その結果、受圧部２５ｂが押圧部２６ｃに沿って次第に下降するため、キートップ２５もラバードーム３６の付勢力に抗して下降する。そして、０度位置では、図３Ｂに示すように、キートップ２５は、再び収納位置に保持される。その結果、キートップ２５がフレーム２６の上面２６ｄと面一又は僅かに低い位置となるため、ディスプレイ１８がキートップ２５に干渉することなくディスプレイ筐体１４を閉じることができる。
【００７２】
図７に示すように、キートップ２５は、受圧部２５ｂにリブ６４を設けた構成としてもよい。すなわち、図３に示す構成例のキー位置設定機構２８は、キートップ２５の前側の外周側面２５ｂを受圧部２５ｂとして機能させている。このため、受圧部２５ｂがフレーム２６の押圧部２６ｃとの摺動を繰り返した場合、両者の材質等によっては受圧部２５ｂが擦れや摩耗を生じる可能性もある。そこで、図７に示すように、例えば押圧部２６ｃとの摺動方向（前後方向）に沿って延在した突起状のリブ６４を左右一対設けてもよい。そうすると、受圧部２５ｂは、左右のリブ６４が押圧部２６ｃに摺接するため、受圧部２５ｂ自体の擦れや摩耗の発生を抑制できる。キートップ２５は、リブ６４を設ける代わりに受圧部２５ｂにコーティング等を施工し、受圧部２５ｂの摩耗を抑制してもよい。
【００７３】
図８に示すように、キートップ２５は、前側の外周側面２５ｂを受圧部２５ｂとして機能させるのに代えて、例えば右側を向いた外周側面２５ｅに板片６６を形成し、この板片６６の前面に受圧部２５ｂと同様な受圧部６６ａを設けてもよい。この場合、フレーム２６の押圧部２６ｃは、キートップ２５の一方の外周側面２５ｅに沿って延在する位置に形成されればよい。このような構成においても、キートップ２５がフレーム２６に対して前後方向に相対移動すると、受圧部６６ａが押圧部２６ｃと摺動し、キートップ２５が使用位置と収納位置との間で移動する。また、板片６６は、キートップ２５の側方に突出し、フレーム２６で覆われているため、板片６６がキーボード装置２０の外観上に露出しない。板片６６及び受圧部６６ａは、キートップ２５の左側を向いた外周側面２５ｄ或いは左右両方の外周側面２５ｄ，２５ｅに設けてもよい。
【００７４】
図９に示すように、キートップ２５は、前側の外周側面２５ｂを受圧部２５ｂとして機能させるのに代えて、例えば左側を向いた外周側面２５ｄを受圧部２５ｄとして機能させてもよい。この場合、キーボード装置２０の支持プレート３０は、例えば図１０に示す駆動方向変換部６８と同様な構成により、前後スライダ３８が前後方向に移動した際、左右方向に移動する構成とすればよい。また、フレーム２６の押圧部２６ｃは、キートップ２５の外周側面２５ｄに対向するキー挿入孔２６ａの左側の内壁面に形成される。従って、このような構成では、キートップ２５がフレーム２６に対して左右方向に相対移動すると、受圧部２５ｄが押圧部２６ｃと摺動し、キートップ２５が使用位置と収納位置との間で移動する。キートップ２５は、右側を向いた外周側面２５ｅを受圧部２５ｅとして機能させてもよい。また、キーボード装置２０を左右方向に移動させる構成とした場合には、図８に示す板片６６及び受圧部６６ａをキートップ２５の前側（後側）の外周側面２５ｂ（２５ｃ）に設けてもよい。
【００７５】
当該電子機器１０は、ポインティングスティック２２をキートップ２５と同様に上昇した使用位置と下降した収納位置とに移動させるスティック位置設定機構８０を備えてもよい。
【００７６】
図１０Ａは、ポインティングスティック２２を上下動させるスティック位置設定機構８０の構成を模式的に示す側面断面図であり、ポインティングスティック２２が使用位置ある状態でのポインティングスティック２２とフレーム２６との位置関係を模式的に示している。図１０Ｂは、図１０Ａに示す状態からスティック位置設定機構８０によってポインティングスティック２２が収納位置とされた状態での側面断面図である。
【００７７】
スティック位置設定機構８０は、支持部材８２と、フレーム２６に設けられた規制部８４とを有する。
【００７８】
支持部材８２は、支持プレート３０の下面３０ｂ側で板ばね（第２弾性部材）８６の付勢力によって下降した下降位置（図１０Ｂ参照）と、板ばね８６の付勢力に抗して上昇した上昇位置（図１０Ａ参照）とに上下動可能である。板ばね８６は、支持部材８２と支持プレート３０の下面３０ｂとの間に介在し、支持部材８２を下方に移動させる方向に常時付勢している。支持部材８２は、前端部がピボット軸構造の回動軸部８２ａを介して支持プレート３０と連結され、後端部に規制傾斜面８２ｂが設けられている。規制傾斜面８２ｂは、前側から後側に向かって次第に下から上に傾斜した後上がりの傾斜面である。支持部材８２は、規制傾斜面８２ｂの前側上面に配置された支持台８８を介してポインティングスティック２２を支持している。ポインティングスティック２２は、支持プレート３０の開口３０ｄと、フレーム２６の開口２６ｅを通してキーボード装置２０の上面に露出している。回動軸部８２ａは、ピボット軸構造以外、例えばベースプレート３１から下方に突出させたフック形状部に支持部材８２の前端部を回動可能に係合させた構成等でもよい。
【００７９】
規制部８４は、フレーム２６の下面２６ｂから支持プレート３０の開口３０ｅを通って下側に延び、さらに前側に屈曲した略Ｌ字状の板片である。規制部８４は、先端部に後側から前側に向かって次第に上から下に傾斜した前下がりの傾斜面（先端傾斜面８４ａ）を有する。
【００８０】
このようなスティック位置設定機構８０では、図３Ａに示すようにキートップ２５が使用位置にある状態では、図１０Ａに示すように支持部材８２の規制傾斜面８２ｂがフレーム２６の規制部８４の上面８４ｂ上で保持されている。このため、ポインティングスティック２２は、キーボード装置２０の上面上に突出した使用位置にある。その結果、キーボード装置２０は、キートップ２５と共にポインティングスティック２２を使用することができる。
【００８１】
スティック位置設定機構８０では、図３Ｂに示すようにキートップ２５が収納位置にある状態では、キーボード装置２０が前側に移動しているため、図１０Ｂに示すように支持部材８２の規制傾斜面８２ｂが規制部８４の前側に滑り落ちている。このため、支持部材８２は、板ばね８６の付勢力によって下降位置にあり、ポインティングスティック２２はキーボード装置２０の上面から埋没した収納位置にある。このため、キーボード装置２０は、キートップ２５と共にポインティングスティック２２も収納位置となり、より一層薄型化された状態となる。
【００８２】
なお、図１０Ｂに示す収納位置にあるポインティングスティック２２は、ディスプレイ筐体１４の回動動作に応じてキーボード装置２０が再び後側に移動すると、規制傾斜面８２ｂが規制部８４の先端傾斜面８４ａを乗り上げるため、再び図１０Ａに示す使用位置に保持される。また、図９に示す構成例のようにキーボード装置２０を左右方向に移動させる構成とした場合、支持部材８２や規制部８４も左右方向に沿った配置とすればよい。
【００８３】
図１１は、第２の実施形態に係る電子機器１０Ａに搭載されるキー位置設定機構２８Ａの構成を模式的に示す要部拡大平面図である。図１２は、図１１に示すキー位置設定機構２８Ａの構成要素の分解斜視図である。図１３Ａは、図１１に示すキー位置設定機構２８Ａにおいてキートップ２５が使用位置にある状態を模式的に示す図１１中のＸＩＩＩ−ＸＩＩＩ線に沿う断面図である。図１３Ｂは、図１３Ａに示す状態からキー位置設定機構２８Ａによってキートップ２５が収納位置とされた状態での断面図である。なお、第２の実施形態に係る電子機器１０Ａにおいて、上記第１の実施形態に係る電子機器１０と同一又は同様な機能及び効果を奏する要素には同一の参照符号を付し、詳細な説明を省略し、以下同様である。
【００８４】
図１１〜図１３Ｂに示すように、キー位置設定機構２８Ａは、キートップ２５に設けられた突出片７０と、左右スライダ（駆動部材。スライド部材）７２と、前後スライダ３８と、リンク機構４０とを有する。
【００８５】
突出片７０は、キートップ２５の後側の外周側面２５ｃから突出し、左右方向に沿って１又は複数設けられている。例えば図１１に示すキートップ２５は、アルファベットキーであり、このキートップ２５は突出片７０を２個有する。例えば図１２に示すキートップ２５は、シフトキー等の左右に長いキーであり、このキートップ２５は突出片７０を４個有する。各突出片７０の左側面には、右側から左側に向かって次第に上から下へと傾斜した傾斜面である受圧部７０ａが設けられている。
【００８６】
左右スライダ７２は、支持プレート３０の上面３０ａ側で各キートップ２５の左右並び方向に沿って延在した角柱状部材である。左右スライダ７２は、例えばＰＯＭ等の樹脂材料やアルミニウム等の金属材料で形成されている。左右スライダ７２は、支持プレート３０の上面３０ａ上で左右方向に移動可能に支持され、フレーム２６の下面側に隠されている。左右スライダ７２は、各キートップ２５の各突出片７０に対応する位置に駆動穴部７２ａを有する。駆動穴部７２ａの左側の内壁面には、左側から右側に向かって次第に下から上へと傾斜した傾斜面である押圧部７２ｂが設けられている。左右スライダ７２は、駆動穴部７２ａの押圧部７２ｂから連続した保持面７２ｃを有する。保持面７２ｃは、押圧部７２ｂの最下部から連続して形成され、支持プレート３０の上面３０ａと平行して左側へと延在している。
【００８７】
駆動穴部７２ａは、キートップ２５の突出片７０が相対移動可能な状態で挿入される。この際、押圧部７２ｂが受圧部７０ａと対向配置される。キートップ２５が使用位置にある状態で、受圧部７０ａは押圧部７２ｂの最上部に位置している（図１３Ａ参照）。キートップ２５が収納位置にある状態で、受圧部７０ａは押圧部７２ｂを通過して保持面７２ｃに位置している（図１３Ｂ参照）。
【００８８】
本実施形態の場合、前後スライダ３８と左右スライダ７２との間には、駆動方向変換部６８が設けられ、前後スライダ３８の前後方向に移動した際、左右スライダ７２が左右方向に移動する構成となっている。駆動方向変換部６８は、例えば前後スライダ３８から突出したプレートに形成されたクランク形状のガイド孔６８ａと、左右スライダ７２の端部に突設され、ガイド孔６８ａに挿入されたガイドピン６８ｂとで構成されている。ガイド孔６８ａは、後側から前側に向かって次第に右側から左側に傾斜した傾斜形状を有する。駆動方向変換部６８では、前後スライダ３８が前側に移動すると、ガイド孔６８ａによるガイドピン６８ｂのガイド作用下に左右スライダ７２が右側に移動する。反対に、前後スライダ３８が後側に移動すると左右スライダ７２が左側に移動する。
【００８９】
当該電子機器１０Ａの場合、キーボード装置２０は前後スライダ３８と切り離されており、本体筐体１６と固定されている。従って、当該電子機器１０Ａでは、ディスプレイ筐体１４が０度位置にある場合は、図１３Ｂに示すように、左右スライダ７２が最も右側に移動した位置にある。このため、キートップ２５は、受圧部７０ａが左右スライダ７２の押圧部７２ｂを通過して保持面７２ｃに位置した収納位置に保持されている。従って、キートップ２５の上面２５ａがフレーム２６の上面２６ｄと面一又は僅かに低い位置にあり、キーボード装置２０の上面は平面状に構成される。その結果、本体筐体１６に対して閉じられたディスプレイ筐体１４がキートップ２５に干渉することがなく、電子機器１０の板厚が可及的に薄型化されている。しかも左右スライダ７２は、上記従来技術の回転軸部材のように捻回負荷は受けないため、上記のような樹脂材料で形成することもでき、薄型化も容易である。なお、当該電子機器１０Ａでは、キートップ２５の一部及び突出片７０は、支持プレート３０のメンブレンシート３２及びベースプレート３１に形成された凹部３０ｃ内に埋没する構成となっている（図１３Ｂ参照）。
【００９０】
次に、ディスプレイ筐体１４が０度位置から開き方向に回動されると、０度位置から３０度位置の間では、前後スライダ３８の後側への移動に伴って左右スライダ７２が次第に左側に移動する。このため、キートップ２５は、左右スライダ７２に対して相対的に右側に移動し、受圧部７０ａが押圧部７２ｂに摺接する。その結果、受圧部７０ａが押圧部７２ｂに沿って次第に上昇するため、ラバードーム３６の付勢力によってキートップ２５も上昇する。
【００９１】
３０度位置では、前後スライダ３８が最も後側に移動した位置となるため、図１３Ａに示すように、キートップ２５は、受圧部７０ａが押圧部７２ｂの最上部に位置し、最も上昇した使用位置となる。つまり電子機器１０Ａにおいても、ディスプレイ筐体１４を３０度位置まで開いた段階でキートップ２５がフレーム２６の上面２６ｄから上方に突出した使用位置となるため、キーボード装置２０が使用可能な状態となる。
【００９２】
なお、キー位置設定機構２８Ａは、３０度位置から３６０度位置の間についても、上記した電子機器１０のキー位置設定機構２８の場合と同様にキートップ２５が動作するため、詳細な説明は省略する。また、キー位置設定機構２８Ａは、３６０度位置にあるディスプレイ筐体１４を閉じ方向に回動動作させる場合にも、上記した電子機器１０のキー位置設定機構２８の場合と同様に上記の開き方向への回動動作と逆方向の動作が生じる。つまり、ディスプレイ筐体１４が３０度位置から０度位置へと回動される場合には、前後スライダ３８が次第に前側に移動し、左右スライダ７２が次第に右側に移動する。このため、受圧部７０ａが押圧部７２ｂに摺接しつつ押圧される。その結果、受圧部７０ａが押圧部７２ｂに沿って次第に下降するため、ラバードーム３６の付勢力に抗してキートップ２５も下降する。そして、０度位置では、図１３Ｂに示すように、キートップ２５は、再び収納位置に保持される。
【００９３】
図１４に示すように、突出片７０は、後側の外周側面２５ｃではなく、左右一方又は両方の外周側面２５ｄ，２５ｅに設けてもよい。この場合、左右スライダ７２に代えて、前後スライダ３８と共に前後方向にスライドし、キートップ２５の左右側部でキートップ２５の前後並び方向に沿って延在する第２前後スライダ７４を用いればよい。第２前後スライダ７４は、左右スライダ７２を前後方向に沿って配置した以外は左右スライダ７２と同様な構成でよい。
【００９４】
以上のように、上記実施形態に係る電子機器１０（１０Ａ）は、支持プレート３０と、支持プレート３０の上面３０ａ側で支持され、使用位置と収納位置との間で上下動する複数のキートップ２５と、キートップ２５に対して、支持プレート３０の上面３０ａと平行する方向に相対移動可能な駆動部材として機能するフレーム２６（左右スライダ７２）とを備える。キートップ２５は、フレーム２６（左右スライダ７２）に接近する方向に向かって次第に上から下へと傾斜した受圧部２５ｂ（２５ｄ，２５ｅ，６６ａ，７０ａ）を有する。フレーム２６（左右スライダ７２）は、キートップ２５に接近する方向に向かって次第に下から上へと傾斜した押圧部２６ｃ（７２ｂ）を有する。そして、フレーム２６（左右スライダ７２）とキートップ２５とが互いに接近する方向に相対移動した場合に、受圧部２５ｂ（２５ｄ，２５ｅ，６６ａ，７０ａ）が押圧部２６ｃ（７２ｂ）によって押圧され、キートップ２５が使用位置から収納位置に移動する。
【００９５】
従って、当該電子機器１０（１０Ａ）では、キートップ２５とフレーム２６（左右スライダ７２）とのそれぞれに、受圧部２５ｂ（２５ｄ，２５ｅ，６６ａ，７０ａ）と押圧部２６ｃ（７２ｂ）とを設け、キートップ２５とフレーム２６（左右スライダ７２）とを相対移動させるだけで、非使用時にキートップ２５を下方に押し下げた収納位置に保持することができる。このため、上記従来技術のように、キートップ２５を押下げるための特殊な部品を複数追加する必要がなく、低コストでキートップ２５を本体筐体１６内に収納することができ、さらに本体筐体１６の薄型化を図ることができる。なお、上記各実施形態では、受圧部２５ｂ（２５ｄ，２５ｅ，６６ａ，７０ａ）及び押圧部２６ｃ（７２ｂ）の両方が傾斜面である構成を例示したが、受圧部２５ｂ（２５ｄ，２５ｅ，６６ａ，７０ａ）と押圧部２６ｃ（７２ｂ）とは少なくとも一方が傾斜面で構成されていればよい、キートップ２５を収納位置に押し下げることができる。
【００９６】
上記電子機器１０は、キートップ２５を支持した支持プレート３０を前後スライダ３８で直接的に移動させる構成としている。また、上記電子機器１０Ａは、前後スライダ３８の前後方向の移動を駆動方向変換部６８を介して左右スライダ７２の左右方向の移動に変換する構成としている。このため、当該電子機器１０，１０Ａは、上記従来技術のように、前後スライダ３８の移動で回転軸部材を回転させ、さらにこの回転軸部材に接合した押圧片を上下動させる構成に比べ、前後スライダ３８の移動量を少ない伝達ロスでキートップ２５の収納位置への移動に利用できる。その結果、前後スライダ３８の前後方向の移動量自体を低減してもキートップ２５を確実に収納位置へと移動させることができ、ヒンジ機構１２の負荷を低減できる。しかも当該電子機器１０，１０Ａは、前後スライダ３８の前後方向の移動量を低減できるため、上記した通り、例えばディスプレイ筐体１４を０度位置に向かって閉じる際、従来７０度位置付近から開始していた前後スライダ３８の移動を３０度位置付近から開始することができる。このため、当該電子機器１０，１０Ａをノートモードで使用している際、ディスプレイ筐体１４を例えば５０度程度まで閉じたとしてもキートップ２５が下降を開始することがなく、利便性が高い。
【００９７】
上記電子機器１０は、図３Ｂに示すように、押圧部２６ｃが受圧部２５ｂよりも摺動方向距離が長く設定されている。このため、キートップ２５が収納位置となった際、押圧部２６ｃには受圧部２５ｂよりも摺動距離に余裕があるため、キーボード装置２０の移動距離が設定値よりもオーバーストロークした際の公差を吸収できる。略同様に、上記電子機器１０Ａは、図１３Ｂに示すように、押圧部７２ｂに連続する保持面７２ｃを有する。このため、キートップ２５が収納位置となった際の左右スライダ７２の移動距離が設定値よりもオーバーストロークした際の公差を吸収できる。
【００９８】
なお、本発明は、上記した実施形態に限定されるものではなく、本発明の主旨を逸脱しない範囲で自由に変更できることは勿論である。
【００９９】
上記では、ディスプレイ筐体１４を０度位置から開き動作する際に前後スライダ３８が後側に移動し、３６０度位置から閉じ動作する際に前後スライダ３８が前側に移動する構成を例示した。このディスプレイ筐体１４の回動方向と前後スライダ３８の移動方向との関係は逆でもよく、具体的にはディスプレイ筐体１４を開き動作する際に前後スライダ３８が前側に移動し、閉じ動作する際に前後スライダ３８が後側に移動する構成としてもよい。この場合、上記したキー位置設定機構２８では、前側の外周側面２５ｂではなく、後側の外周側面２５ｃに後下がりの受圧部２５ｃを設け、フレーム２６側の押圧部２６ｃもこの受圧部２５ｃと摺動可能に対向する構成とすればよい。同様に、他のキー位置設定機構２８Ａやスティック位置設定機構８０についても適宜構成を変更してもよい。
【０１００】
上記では、キー位置設定機構２８は、キーボード装置２０を前後スライダ３８で移動させる構成を例示したが、前後スライダ３８でフレーム２６を移動させ、キーボード装置２０を本体筐体１６に固定した構成としてもよい。
【０１０１】
上記ではスティック位置設定機構８０は、電子機器１０のキー位置設定機構２８と併用した構成を例示したが、スティック位置設定機構８０は単独で搭載されてもよい。また、上記ではスティック位置設定機構８０の支持部材８２は、回動軸部８２ａで回動して上下動する構成を例示したが、図示しない上下方向の昇降機構によって支持部材８２を上下動可能に構成してもよい。スティック位置設定機構８０は、ポインティングスティック２２以外の操作部材、例えばキーボード装置２０の周囲に設けられた各種押しボタン等に適用してもよい。
【０１０２】
上記では左右スライダ７２は、キートップ２５の後側部に沿って配置された構成を例示したが、左右スライダ７２は、キートップ２５の前側部に沿って配置されてもよい。また、左右スライダ７２は、フレーム２６と一体構造とされてもよい。この場合は、前後スライダ３８によってフレーム２６を移動させてもよいし、図３Ａ及び図３Ｂに示す構成例と同様にキートップ２５（キーボード装置２０）をこのフレーム２６（左右スライダ７２）に対して移動させてもよい。
【０１０３】
上記では、キー位置設定機構２８，２８Ａ及びスティック位置設定機構８０は、ヒンジ機構１２の回転をリンク機構４０を介して前後スライダ３８に伝達する構成を例示した。この機械式のリンク機構４０に代えて、例えばヒンジ機構１２によるディスプレイ筐体１４の回動角度に応じて駆動される電動モータ等のアクチュエータを用いて前後スライダ３８を介して、或いは前後スライダを介さずにキーボード装置２０や左右スライダ７２、フレーム２６等を移動させる構成としてもよい。
【０１０４】
上記では、例えば０度位置で収納位置にあるキートップ２５を３０度位置で使用位置にするように構成したが、このキートップ２５の位置の切換角度は３０度位置以外であっても勿論よい。
【符号の説明】
【０１０５】
１０，１０Ａ  電子機器
１２Ｌ，１２Ｒ  ヒンジ機構
１４  ディスプレイ筐体
１６  本体筐体
１６ａ，２５ａ，２６ｄ，３０ａ  上面
１８  ディスプレイ
２０  キーボード装置
２２  ポインティングスティック
２５  キートップ
２５ｂ〜２５ｅ  外周側面（受圧部）
２６  フレーム
２６ａ  キー挿入孔
２６ｃ，７２ｂ  押圧部
２８，２８Ａ  キー位置設定機構
３０  支持プレート
３６  ラバードーム
３８  前後スライダ
４０  リンク機構
６４  リブ
６６ａ，７０ａ  受圧部
７０  突出片
７２  左右スライダ
７２ａ  駆動穴部
７２ｃ  保持面
７４  第２前後スライダ
８０  スティック位置設定機構
８２  支持部材
８４  規制部
８６  板ばね
【図１】
2019215611.tif 000003
【図２Ａ】
2019215611.tif 000004
【図２Ｂ】
2019215611.tif 000005
【図３Ａ】
2019215611.tif 000006
【図３Ｂ】
2019215611.tif 000007
【図４】
2019215611.tif 000008
【図５】
2019215611.tif 000009
【図６Ａ】
2019215611.tif 000010
【図６Ｂ】
2019215611.tif 000011
【図７】
2019215611.tif 000012
【図８】
2019215611.tif 000013
【図９】
2019215611.tif 000014
【図１０Ａ】
2019215611.tif 000015
【図１０Ｂ】
2019215611.tif 000016
【図１１】
2019215611.tif 000017
【図１２】
2019215611.tif 000018
【図１３Ａ】
2019215611.tif 000019
【図１３Ｂ】
2019215611.tif 000020
【図１４】
2019215611.tif 000021
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
キーボード装置を備える電子機器であって、
支持プレートと、
前記支持プレートの上面側で支持され、弾性部材の付勢力によって上昇した第１位置と、前記弾性部材の付勢力に抗して下降した第２位置との間で上下動する複数のキートップと、
前記支持プレートと前記キートップとの間で、前記キートップを前記第１位置と前記第２位置との間で上下動可能に支持し、２枚の枠体を筋交い状に取り付けたパンタグラフ構造を有するガイド機構と、
前記キートップに対して、前記支持プレートの上面と平行する方向に相対移動可能な駆動部材と、
を備え、
前記キートップは、受圧部を有し、
前記駆動部材は、前記キートップに対して相対移動することで前記受圧部と接触する押圧部を有し、
前記受圧部及び前記押圧部のうちの少なくとも一方は傾斜面を有し、前記受圧部と前記押圧部とが互いに接触する方向に相対移動した場合に、前記傾斜面を介して前記受圧部が前記押圧部によって押圧され、前記キートップが前記第１位置から前記第２位置に移動し、
前記キートップが前記第１位置にある状態で、前記ガイド機構は前記駆動部材とは接触させずに前記キートップを上下動可能であることを特徴とする電子機器。
【請求項２】
請求項１に記載の電子機器であって、
前記駆動部材は、隣接するキートップ間を区画するフレームであることを特徴とする電子機器。
【請求項３】
請求項２に記載の電子機器であって、
前記受圧部及び前記押圧部の両方が前記傾斜面を有し、
前記フレームは、前記キートップが上下動可能に挿入される複数のキー挿入孔を有すると共に、該キー挿入孔の内壁面が、前記傾斜面が形成された前記押圧部であり、
前記キートップの前記フレームの押圧部に対向する外周側面が、前記傾斜面が形成された前記受圧部であることを特徴とする電子機器。
【請求項４】
請求項３に記載の電子機器であって、
前記キーボード装置が設けられた本体筐体と、
前記本体筐体に対してヒンジ機構によって回動可能に連結され、ディスプレイが設けられたディスプレイ筐体と、
前記ディスプレイ筐体を前記本体筐体に対して回動させた場合に、前記支持プレートを前記フレームに対して移動させるリンク機構と、
を備えることを特徴とする電子機器。
【請求項５】
請求項１に記載の電子機器であって、
さらに、隣接するキートップ間を区画するフレームを備え、
前記駆動部材は、前記フレームの下面側に隠され、前記支持プレートの上面側で前記キートップの並び方向に沿って延在し、複数の前記キートップの側部を通過するように設けられた棒状のスライド部材であり、
前記受圧部は、前記キートップの外周側面から突出した突出片であり、
前記スライド部材は、各キートップの前記突出片が相対移動可能な状態で挿入され、前記突出片に対向する位置に前記押圧部である複数の駆動穴部を有すると共に、各駆動穴部は、前記キートップの並び方向に沿って並んで設けられており、
１本の前記スライド部材に形成された複数の前記駆動穴部によって、複数の前記キートップが前記第１位置から前記第２位置へと移動することを特徴とする電子機器。
【請求項６】
請求項５に記載の電子機器であって、
前記スライド部材は、前記押圧部の最下部から連続して形成され、前記支持プレートの上面と平行する方向に延在した保持面を有し、
前記保持面は、前記スライド部材が移動して前記押圧部が前記受圧部を押圧し、前記キートップが第１位置から第２位置に移動した場合に前記突出片と当接することにより、前記キートップを前記第２位置で保持することを特徴とする電子機器。
【請求項７】
請求項５又は６に記載の電子機器であって、
前記キートップは、前後左右に並んで配列され、
前記スライド部材は、左右方向に並んだキートップの前側部又は後側部に沿って延在すると共に、前後方向に複数並んで配置されることを特徴とする電子機器。
【請求項８】
請求項７に記載の電子機器であって、
前記キーボード装置が設けられた本体筐体と、
前記本体筐体に対してヒンジ機構によって回動可能に連結され、ディスプレイが設けられたディスプレイ筐体と、
前記ディスプレイ筐体を前記本体筐体に対して回動させた場合に、前記スライド部材を前記支持プレートに対して移動させるリンク機構と、
を備えることを特徴とする電子機器。
【請求項９】
請求項２に記載の電子機器であって、
一端部が回動軸部を介して前記支持プレートの下面側に回動可能に連結されることで、他端部が第２弾性部材の付勢力によって下降した下降位置と、前記第２弾性部材の付勢力に抗して上昇した上昇位置との間で上下動する支持部材と、
前記支持部材の前記他端部側の上面で支持され、前記支持プレートに形成された開口を挿通して前記キーボード装置の表面に露出したポインティングスティックと、
を備え、
前記フレームは、その下面から前記支持プレートに設けられた開口を通って下方に延びた規制部を有し、該規制部は、その上面で前記支持部材の前記他端部を前記上昇位置で保持し、前記下降位置への移動を規制するものであり、
前記規制部が前記支持部材を前記上昇位置で規制した状態から、前記フレームと前記キートップとが互いに接近する方向に相対移動した場合に、前記規制部による前記支持部材の規制が解除され、前記支持部材が前記第２弾性部材の付勢力によって前記上昇位置から前記下降位置に移動し、前記ポインティングスティックが前記開口内で下方に移動することを特徴とする電子機器。